【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
長さのある補強板に、建築用縦材間などの取付箇所間に架設状態にして固定される建築用横材に抱持固定し得るクランプ部を設け、このクランプ部を前記建築用横材に固定することで、前記補強板が建築用横材に沿設状態に配設し、且つこの補強板の板面が立直面となる縦設状態で建築用横材に固定し得るように、前記クランプ部を前記補強板に設けた構成としたことを特徴とする建築用横材補強具。
【請求項２】
前記クランプ部を前記建築用横材に固定した際、長さのある帯板状の前記補強板がその板面方向の長さ方向が前記建築用横材に略平行な沿設状態となり且つ前記補強板の板面方向の前記長さ方向と直交する幅方向が上下方向となり前記建築用横材の下方に縦設状態で配設し得るように、このクランプ部の前記補強板への配設位置を設定したことを特徴とする請求項１記載の建築用横材補強具。
【請求項３】
前記クランプ部は、前記建築用横材としてのパイプに抱持固定し得るパイプクランプを採用したことを特徴とする請求項１，２のいずれか１項に記載の建築用横材補強具。
【請求項４】
帯板状の前記補強板の長さ方向に延びる上側縁若しくは下側縁から突設状態にして、且つこの補強板の長さ方向に間隔を置いて前記クランプ部を複数突設したことを特徴とする請求項１〜３のいずれか１項に記載の建築用横材補強具。
【請求項５】
前記補強板と前記クランプ部とは一体物構成とせずに別部品により構成して、この別部品の補強板とクランプ部とをクランプ連結手段により着脱自在に連結し得るように構成したことを特徴とする請求項１〜４のいずれか１項に記載の建築用横材補強具。
【請求項６】
前記クランプ連結手段は、前記クランプ部を有し前記補強板に重合可能なクランプ付連結体を備え、このクランプ付連結体を前記補強板に重合した際に連通する連結孔をこのクランプ付連結体と補強板とに設け、この連通する連結孔に止着具を着脱自在に挿通止着することで、補強板とクランプ付連結体とを連結して補強板にクランプ部を設ける構成としたことを特徴とする請求項５記載の建築用横材補強具。
【請求項７】
帯板状の前記補強板は、その長さ方向に他の帯板状の補強板を並設して並設連結手段により連結し得るように構成したことを特徴とする請求項１〜６のいずれか１項に記載の建築用横材補強具。
【請求項８】
帯板状の前記補強板は、その長さ方向と直交する方向に他の帯板状の補強板を並設して並設連結手段により連結し得るように構成したことを特徴とする請求項１〜７のいずれか１項に記載の建築用横材補強具。
【請求項９】
架設状態にして重合する連結板を備え、この連結板を各補強板に重合した際に連通する連結孔をこの連結板と各補強板とに設け、この連通する連結孔に止着具を挿通止着することで、並設する各補強板と連結板とを連結して並設する各補強板をこの連結板を介して連結する構成としたことを特徴とする請求項７，８のいずれか１項に記載の建築用横材補強具。
【請求項１０】
建築用縦材と建築用横材とを直交あるいは傾斜状態に連結固定して構築される骨組構造体を有する建築構造物の構築方法であって、前記建築用横材に、前記請求項１〜９のいずれか１項に記載の建築用横材補強具を、前記クランプ部を介して固定することを特徴とする建築構造物の構築方法。
【請求項１１】
少なくとも前記建築用横材がパイプを採用して構成された建築構造物の構築方法であって、前記建築用横材補強具の前記クランプ部は、前記建築用横材としてのパイプに抱持固定し得るパイプクランプを採用し、このパイプクランプを建築用横材としてのパイプに抱持固定することで建築用横材に前記建築用横材補強具を固定することを特徴とする請求項１０記載の建築構造物の構築方法。
【手続補正２】
【補正対象書類名】明細書
【補正対象項目名】全文
【補正方法】変更
【補正の内容】
【発明の詳細な説明】
【発明の名称】建築用横材補強具並びに建築構造物の構築方法
【技術分野】
【０００１】
本発明は、建築用横材の強度不足を補って、例えばこの建築用横材の下方に広い間口を有するような建築構造物を構築することが可能となる建築用横材補強具、並びにこの建築用横材補強具を用いて行う建築構造物の構築方法に関するものである。
【背景技術】
【０００２】
農家などでは、個人自らが仮設足場などの構築に用いられる単管とクランプを使用して簡易的なガレージや物置小屋などの建築構造物Ｂを構築しているところがある。具体的には、例えば図１に示すように、住居用の家屋19側に存する骨組（単管）を接合金具20を用いて家屋19の一側壁面に固定することで、図１５に示すように家屋19に並設させて強度を保持した単管建築構造物Ｂを実現している。
【０００３】
このような単管を用いて構築するガレージや物置小屋は、比較的簡単に組め、専門の建築業者に依頼して建築してもらう場合に比べて非常に安価に構築できるというメリットがあるため、農家を中心に広く実施されるようになってきている。
【０００４】
しかしながら、このような単管建築構造物Ｂは、骨組材が単管であることから強度的に限界があり、この強度の問題から設計上の制約を受け、所望した通りに構築物を構築することは困難であった。
【０００５】
即ち、例えば長い単管を、建築用縦材３（縦設単管３Ａ）間に架設固定する建築用横材４として使用した場合には、図１６に示すようにこの横設単管４Ａの途中部が強度不足により下方へ撓むように変形してしまうため、これを防止するためには支柱として機能する他の縦設単管３Ａをこの横設単管４Ａの途中部の下方に設置する必要があり、横設単管４Ａ下方の間口を横設単管４Ａの長さと同等に形成することは不可能であった。
【０００６】
してみると、例えば、自動車を二台横に並べて駐車できるガレージを構築する場合には、自動車の出し入れのし易さなどを考慮してガレージの出入り口（間口）を自動車二台分以上に広く確保したいが、この間口確保のために出入り口上方に長い横設単管４Ａを設置すると、この横設単管４Ａの強度が足りず、下方に撓んできてしまうために途中に支柱（縦設単管３Ａ）を設置しなければならなくなり、この支柱によって出入り口が仕切られてどうしても狭い出入り口になってしまうなどの問題があった。
【０００７】
また、農家では、収穫した多量の米などを保管しておく広い保管場所が必要であり、前記したような単管建築構造物Ｂにより、二階建ての物置小屋のような低コストで大容量の保管場所を確保できれば非常に有用であると考えられる。
【０００８】
しかし、この単管建築構造物Ｂは、二階建ての小屋などを作ること自体は可能であるが、上記した強度的な問題から、二階部分を支える建築用横材４上に張設した床上に米などの重量物を多量に保管することは叶わなかった。
【発明の開示】
【発明が解決しようとする課題】
【０００９】
出願人は、このような現状に鑑み、例えば、上記したように簡単に且つ非常に安価に組立できる有用な単管建築構造物を、もっと設計の自由度が向上して間口を広くしたり床強度を向上して重量物をたくさん保管できたりするような実用性の増すものにできないかと長年研究を続け試行錯誤した末に、建築用横材に高い補強作用を付与して設計の自由度を向上させることができる本発明の建築用横材補強具並びにこの建築用横材補強具を用いて行う建築構造物の構築方法を完成させた。
【課題を解決するための手段】
【００１０】
添付図面を参照して本発明の要旨を説明する。
【００１１】
長さのある補強板１に、建築用縦材３間などの取付箇所２間に架設状態にして固定される建築用横材４に抱持固定し得るクランプ部５を設け、このクランプ部５を前記建築用横材４に固定することで、前記補強板１が建築用横材４に沿設状態に配設し、且つこの補強板１の板面が立直面となる縦設状態で建築用横材４に固定し得るように、前記クランプ部５を前記補強板１に設けた構成としたことを特徴とする建築用横材補強具に係るものである。
【００１２】
また、前記クランプ部５を前記建築用横材４に固定した際、長さのある帯板状の前記補強板１がその板面方向の長さ方向が前記建築用横材４に略平行な沿設状態となり且つ前記補強板１の板面方向の前記長さ方向と直交する幅方向が上下方向となり前記建築用横材４の下方に縦設状態で配設し得るように、このクランプ部５の前記補強板１への配設位置を設定したことを特徴とする請求項１記載の建築用横材補強具に係るものである。
【００１３】
また、前記クランプ部５は、前記建築用横材４としてのパイプ４Ａに抱持固定し得るパイプクランプ５Ａを採用したことを特徴とする請求項１，２のいずれか１項に記載の建築用横材補強具に係るものである。
【００１４】
また、帯板状の前記補強板１の長さ方向に延びる上側縁若しくは下側縁から突設状態にして、且つこの補強板１の長さ方向に間隔を置いて前記クランプ部５を複数突設したことを特徴とする請求項１〜３のいずれか１項に記載の建築用横材補強具に係るものである。
【００１５】
また、前記補強板１と前記クランプ部５とは一体物構成とせずに別部品により構成して、この別部品の補強板１とクランプ部５とをクランプ連結手段６により着脱自在に連結し得るように構成したことを特徴とする請求項１〜４のいずれか１項に記載の建築用横材補強具に係るものである。
【００１６】
また、前記クランプ連結手段６は、前記クランプ部５を有し前記補強板１に重合可能なクランプ付連結体７を備え、このクランプ付連結体７を前記補強板１に重合した際に連通する連結孔８をこのクランプ付連結体７と補強板１とに設け、この連通する連結孔８に止着具９を着脱自在に挿通止着することで、補強板１とクランプ付連結体７とを連結して補強板１にクランプ部５を設ける構成としたことを特徴とする請求項５記載の建築用横材補強具に係るものである。
【００１７】
また、帯板状の前記補強板１は、その長さ方向に他の帯板状の補強板１を並設して並設連結手段10により連結し得るように構成したことを特徴とする請求項１〜６のいずれか１項に記載の建築用横材補強具に係るものである。
【００１８】
また、帯板状の前記補強板１は、その長さ方向と直交する方向に他の帯板状の補強板１を並設して並設連結手段10により連結し得るように構成したことを特徴とする請求項１〜７のいずれか１項に記載の建築用横材補強具に係るものである。
【００１９】
また、架設状態にして重合する連結板11を備え、この連結板11を各補強板１に重合した際に連通する連結孔８をこの連結板11と各補強板１とに設け、この連通する連結孔８に止着具９を挿通止着することで、並設する各補強板１と連結板11とを連結して並設する各補強板１をこの連結板11を介して連結する構成としたことを特徴とする請求項７，８のいずれか１項に記載の建築用横材補強具に係るものである。
【００２０】
また、建築用縦材３と建築用横材４とを直交あるいは傾斜状態に連結固定して構築される骨組構造体12を有する建築構造物Ｂの構築方法であって、前記建築用横材４に、前記請求項１〜９のいずれか１項に記載の建築用横材補強具Ａを、前記クランプ部５を介して固定することを特徴とする建築構造物の構築方法に係るものである。
【００２１】
また、少なくとも前記建築用横材４がパイプ４Ａを採用して構成された建築構造物Ｂの構築方法であって、前記建築用横材補強具Ａの前記クランプ部５は、前記建築用横材４としてのパイプ４Ａに抱持固定し得るパイプクランプ５Ａを採用し、このパイプクランプ５Ａを建築用横材４としてのパイプ４Ａに抱持固定することで建築用横材４に前記建築用横材補強具Ａを固定することを特徴とする請求項１０記載の建築構造物の構築方法に係るものである。
【発明の効果】
【００２２】
本発明は上述のように構成したから、建築用横材にクランプ部を介して本発明の建築用横材補強具を固定すると、建築用横架材にこの建築用横架材を変形させようとする荷重が加わった際に、この荷重が建築用横架材だけでなく補強板によっても支持されることになり、しかも、この補強板は、その板面が立直面となる縦設状態で建築用横材に固定されるために、建築用横材に対して常に加わるこの建築用横材を上下方向に変形させようとする荷重に対して強い耐変形強度を発揮して建築用横材の変形を防止できることになり、従って、本補強具によって補強した建築用横材は耐変形強度が著しく増すことになるため、長い建築用横材であっても建築用横材が下方へ撓み変形するようなことがなく、よって、設計の自由度が向上し、補強した長い建築用横材の下方に広い間口を確保したり、補強した建築用横材の上方に耐荷重性の高いフロアスペースを構築したりすることが可能となる。
【００２３】
従って、例えば、本補強具を固定した長い建築用横材を使用することで、自動車二台分以上の開口幅の出入り口（間口）を有するガレージを構築したり、二階の床を支える一階の天井部分の建築用横材に本補強具を固定して補強することで、非常に強度が高く耐荷重性に秀れた二階の床を有する二階建ての物置小屋などを構築することが可能となるなど、極めて実用性に秀れた画期的な建築用横材補強具となる。
【００２４】
また、本発明においては、建築用横材の補強材として板（補強板）を採用したから、板材は安価に且つ簡易に入手可能であるため、本発明は簡易に設計実現可能であると共に、板材は軽量で取り扱い性に秀れ、建築用横材に固定してもさほど作業性を損なうこともないなど、極めて実用性に秀れた建築用横材補強具となる。
【００２５】
また、請求項２記載の発明においては、補強板が建築用横材よりさほど大きく突出しないために取り扱い性に秀れると共に、骨組として組み込んだ際に他の建築材や空間を圧迫しにくいなど、一層実用性に秀れた構成の建築用横材補強具となる。
【００２６】
また、請求項３記載の発明においては、パイプ（単管など）を建築用横材として構築するこれまでの建築構造物は、安価に構築可能な反面パイプ自体の強度が不足がちであるために設計上の制約があるという問題があったが、本補強具により建築用横材として用いるパイプに簡単に強度を持たせることができるので、設計の自由度が向上してただのパイプだけでは実現不可能だった出入り口（間口）の広いガレージや耐荷重性の高い二階床を備えた二階建ての物置小屋などを簡易に構築することが可能となる一層実用性に秀れた構成の建築用横材補強具となる。
【００２７】
また、請求項４記載の発明においては、前記作用・効果を確実に発揮する本発明の建築用横材補強具を簡易に設計実現可能となる。
【００２８】
また、請求項５記載の発明においては、例えば、補強板にクランプ部を溶接するような構成に比して、補強板にクランプ部を設ける構成（クランプ連結手段）を簡易に設計実現可能であると共に、補強板に対して最適な位置にクランプ部を連結できるような構成とすることも簡易に設計実現可能であるなど、一層実用性に秀れた構成の建築用横材補強具となる。
【００２９】
また、請求項６記載の発明においては、前記クランプ連結手段を簡易な構造により容易に設計実現可能となる一層実用性に秀れた構成の建築用横材補強具となる。
【００３０】
また、請求項７記載の発明においては、さほど長さのない補強板であっても、建築用横材の長さに応じて継ぎ足し連結して対応することができるので汎用性に秀れ、これにより補強板は短いものでも構成可能であるので、一層取り扱い性に秀れた本建築用補強具を実現可能であるなど、極めて実用性に秀れた構成の建築用横材補強具となる。
【００３１】
また、請求項８記載の発明においては、建築用横材に対する補強強度を一層向上させることができる一層実用性に秀れた構成の建築用横材補強具となる。
【００３２】
また、請求項９記載の発明においては、補強板を並設して連結する並設連結手段を簡易な構造により容易に設計実現可能となる一層実用性に秀れた構成の建築用横材補強具となる。
【００３３】
また、請求項１０記載の発明においては、前記作用・効果を発揮する極めて実用性に秀れた画期的な建築構造物の構築方法となる。
【００３４】
また、請求項１１記載の発明においては、単管などのパイプによる建築構造物の建築用横材（横設パイプ）に簡単に強度を持たせることができるので、設計の自由度が向上して出入り口（間口）の広いガレージや耐荷重性の高い二階床を備えた二階建ての物置小屋などを簡易に且つ安価に構築可能となる一層実用性に秀れた構成の建築構造物の構築方法となる。
【発明を実施するための最良の形態】
【００３５】
好適と考える本発明の実施形態（発明をどのように実施するか）を、図面に基づいて本発明の作用を示して簡単に説明する。
【００３６】
建築用横材４に、クランプ部５を抱持固定して本発明の建築用横材補強具Ａを固定することができる。
【００３７】
すると、補強板１が建築用横材４に沿設状態に配設すると共に、この補強板１は、その板面方向が上下方向となる縦設状態で建築用横材４に固定されることになる。
【００３８】
そのため、建築用横架材４にこの建築用横架材４が変形しようとする荷重が加わった際には、この荷重が建築用横架材４だけでなく前記補強板１によっても支持されることになるので、建築用横架材４の耐変形強度が向上する。
【００３９】
しかも、この補強板１は、その板面が立直面となる縦設状態で建築用横材４に固定されるので、この補強板１の強度は特に建築用横材４を上下方向に変形させようとする荷重に対して強い耐変形強度を発揮する。
【００４０】
即ち、板は、その板厚方向への変形荷重に対しては弱いが、板幅方向への変形荷重に対しては強い耐変形強度を発揮する性質を有している。この板の性質を利用し、建築用横材４が上下方向に変形しようとすることに抗して、補強板１が最も高い耐変形強度を発揮する状態（補強板１の板面が立直面となる縦設状態）となるようにして建築用横材４に固定されるため、建築用横材４の上下方向への変形が極めて強固に防止される。
【００４１】
そのため、建築構造物Ｂは、建築用縦材３と建築用横材４とを直交あるいは傾斜状態に連結固定して骨組構造体12を構築するものが一般的であり、例えば支柱として機能する左右の建築用縦材３（取付箇所２）間に架設状態にして本補強具Ａを固定した建築用横材４を設置固定すると、この建築用横材４には、図１５に示すように常にこの建築用横材４を下方へ撓ませようとする荷重が加わるが、この荷重が補強板１の補強作用によって良好に支えられて建築用横材４の変形が防止されることになる。
【００４２】
従って、このように本補強具Ａによって建築用横材４は耐変形強度が著しく増すことになるため、たとえ強度不足の懸念のある長い建築用横材４を使用した場合であっても、本補強具Ａで補強することにより、その途中に補強用の支柱などを設置せずとも建築用横材４が下方へ撓み変形するようなことがなく、よって、この長い建築用横材４の下方に支柱のない広い間口（例えば出入り口21など）を確保することが可能となる。
【００４３】
従って、例えばガレージを構築する場合には、たとえ建築用横材４に強度不足の懸念があったとしても、長い建築用横材４に本補強具Ａを固定して使用することでこの建築用横材４の下方に自動車Ｃ二台分以上の開口幅の出入り口21（間口）を形成することが可能となるので、自動車Ｃを二台横に並べて駐車できて出し入れも容易に行われる実用性に秀れたガレージを構築することが可能となる。
【００４４】
また、例えば、二階建ての物置小屋などを構築する場合に、二階の床を支える一階の天井部分の建築用横材４に本補強具Ａを固定して補強することとすれば、非常に強度が高く、耐荷重性に秀れた二階の床を形成することができ、二階にまでも重量物を多量に保管できる実用的な物置小屋が完成することになる。
【００４５】
特に、単管などのパイプ４Ａを少なくとも建築用横材４として構築する建築構造物Ｂにおいては、パイプ４Ａの強度がさほど強くはないために建築用横材４として採用した横設パイプ４Ａの長さが長いと、この横設パイプ４Ａが下方へ撓み変形してしまうことが往々にしてあり、これが原因で設計上の制約を受けるという問題があったが、この横設パイプ４Ａに本補強具Ａを固定して補強することで横設パイプ４Ａの撓み変形が防止されることになり、このような建築材自体に強度のないものを用いる建築構造物Ｂにおいては、本補強具Ａは極めて有用となる。即ち、建築材自体に強度がなくとも、本補強具Ａを使用することで設計の自由度が著しく向上し、ただのパイプだけでは実現不可能であった出入り口21（間口）の広いガレージや耐荷重性の高い二階床を備えた二階建ての物置小屋などを簡易に且つ非常に安価に構築可能となる。
【００４６】
また、補強材として採用した板材（補強板１）は、安価に且つ簡易に入手可能であるため本発明の補強板１は簡易に設計実現可能であると共に、板材は軽量で取り扱い性に秀れる上、建築用横材４に固定してもさほど作業性を損なうこともないので実用的である。
【００４７】
また、例えば、前記クランプ部５を前記建築用横材４に固定した際、長さのある帯板状の前記補強板１がその板面方向の長さ方向が前記建築用横材４に略平行な沿設状態となり且つ前記補強板１の板面方向の前記長さ方向と直交する幅方向が上下方向となり前記建築用横材４の下方に縦設状態で配設し得るように、このクランプ部５の前記補強板１への配設位置を設定すれば、補強板１が建築用横材４と略平行に沿設しているために、本補強具Ａを固定した建築用横材４の取り扱い性が大きく損なわれるようなことがない上、構造物内の空間を圧迫しにくく、また、補強板１が建築用横材４の下方に配設するため、この建築用横材４上方への床材17などの取り付けに際して補強板１が邪魔とならないなど、一層実用的となる。
【００４８】
また、例えば、前記クランプ部５は、前記建築用横材４としてのパイプ４Ａに抱持固定し得るパイプクランプ５Ａを採用すれば、安価に構築可能なパイプ４Ａ（単管など）による建築構造物Ｂに本補強具により簡単に強度を持たせることができ、これにより出入り口21（間口）の広いガレージや耐荷重性の高い二階床を備えた二階建ての物置小屋などを簡易に設計実現可能となるなど、一層実用的となる。
【００４９】
また、例えば、帯板状の前記補強板１の長さ方向に延びる上縁側若しくは下側縁から突設状態にして、且つこの補強板１の長さ方向に間隔を置いて前記クランプ部５を複数突設した構成とすれば、複数のクランプ部５により本補強具Ａを建築用横材４に強固に固定して確実に補強作用を付与することができる上、補強板１が帯板状であるため、この補強板１の長さ方向に延びる上縁側若しくは下側縁から建築用横材４に対して抱持固定する複数のクランプ部５を簡易に突設配置可能であるなど、一層実用的となる。
【００５０】
また、例えば、前記補強板１と前記クランプ部５とは一体物構成とせずに別部品により構成して、この別部品の補強板１とクランプ部５とをクランプ連結手段６により着脱自在に連結し得るように構成すれば、補強板１にクランプ部５を溶接固定するような構成に比べて製作が容易であり、しかも、例えば、より良い補強作用が建築用横材４に対して付与されるように補強板１の適所へ所望数のクランプ部５を自由に連結配置できたり、他の建築材に対してクランプ部５が干渉しないようにクランプ部５を配置できるような構成も簡易に設計実現可能であるなど、一層実用的となる。
【００５１】
また、例えば、帯板状の前記補強板１は、その長さ方向に他の帯板状の補強板１を並設して並設連結手段10により連結し得るように構成すれば、さほど長さのない補強板１であっても、建築用横材４の長さに応じて継ぎ足し連結して対応使用することができ、これにより補強板１はさほど長さのないものでも構成可能であるので、取り扱い性に秀れた本建築用補強具を実現可能であるなど、一層実用的となる。
【００５２】
また、例えば、帯板状の前記補強板１は、その長さ方向と直交する方向に他の帯板状の補強板１を並設して並設連結手段10により連結し得るように構成すれば、複数の帯板状の補強板１を幅方向に並べて連結した幅広な集合体を構成することで、建築用横材４に対する補強強度を一層向上させることができ、一層実用的となる。
【実施例１】
【００５３】
本発明の具体的な実施例１について図１〜図７に基づいて説明する。
【００５４】
本実施例は、パイプ（図面は丸形の単管）を採用した建築用縦材３と建築用横材４とを直交あるいは傾斜状態に連結固定して構築される骨組構造体12を有する建築構造物Ｂを形成するための前記建築用横材４、即ち横設パイプ４Ａ（横設単管４Ａ）を補強する建築用横材補強具Ａに適用している。
【００５５】
具体的には、本実施例の建築用横材補強具Ａは、長さのある補強板１に、建築用縦材３（縦設パイプ３Ａ）間などの取付箇所２間に架設状態にして固定される建築用横材４に抱持固定し得るクランプ部５を設けている。
【００５６】
本実施例の補強板１は、金属製の帯板材を採用して構成している。
【００５７】
また、クランプ部５は、パイプクランプ５Ａ（図面では公知の単管クランプ５Ａ）を採用して構成している。
【００５８】
本実施例では、帯板状の補強板１の長さ方向の一側縁に、この補強板１の長さ方向に間隔を置いてクランプ部５を複数突設した構成としている。
【００５９】
また、補強板１とクランプ部５とは別製（別部品）とし、この別部品の補強板１とクランプ部５とをクランプ連結手段６により着脱自在に連結している。
【００６０】
本実施例のクランプ連結手段６について説明すると、前記クランプ部５を有し前記補強板１に重合可能な帯板状のクランプ付連結体７を構成し、このクランプ付連結体７を前記補強板１に重合した際に連通する連結孔８をこのクランプ付連結体７と補強板１とに設け、この連通する連結孔８に止着具９を着脱自在に挿通止着することで、補強板１とクランプ付連結体７とを連結して補強板１にクランプ部５を突設する構成としている。
【００６１】
更に詳しくは、金属製の帯板７Ａの長さ方向の一端部に、この帯板７Ａの長さ方向と直交する方向が単管抱持方向となるように配した前記単管クランプ５Ａを付設することで前記クランプ付連結体７を構成し、このクランプ付連結体７の帯板７Ａには前記連結孔８を貫通形成している。
【００６２】
一方、補強板１は、その長さ方向に間隔を置いた複数個所に前記連結孔８を貫通形成している。
【００６３】
そして、クランプ付連結体７の帯板７Ａを補強板１に重合すると共に、帯板７Ａと補強板１とが互いに直交するように配した上で双方の連結孔８を連通させ、この連通させた連結孔８・８にボルト９Ａ・ナット９Ｂを採用した止着具９のボルト９Ａを挿通してナット９Ｂ止めすることで、補強板１にクランプ付連結体７（の帯板７Ａ）を固定し、補強板１の一側縁よりクランプ部５（単管クランプ５Ａ）が突設するように構成している。
【００６４】
また、この際、補強板１に形成した複数の連結孔８を選択してクランプ付連結体７を固定することで、補強板１に対するクランプ部５の突設位置を変更したり、補強板１に設けるクランプ部５の数を変更することができる構成としている。
【００６５】
また、本実施例では、補強板１の長さ方向に略等間隔を置いて複数のクランプ部５が突設するようにすると共に、各クランプ部５が補強板１の一側縁に対して等しい突出度で突設するように、複数のクランプ付連結体７を固定補強板１に固定している。
【００６６】
このように構成した本実施例の建築用補強具Ａを、各クランプ部５（単管クランプ５Ａ）を抱持固定することで建築用横材４としての横設単管４Ａに固定すると、補強板１が横設単管４Ａと略平行状態で沿設固定することになり、この横設単管４Ａにこの建築用横架材４が変形しようとする荷重が加わった際には、この荷重が建築用横架材４だけでなく前記補強板１によっても支持されることとなって、建築用横架材４の耐変形強度が向上する構成としている。
【００６７】
また、単管クランプ５Ａは、横設単管４Ａに対して３６０度範囲に自由に補強板１を向けて固定可能であるが、本実施例ではこの補強板１を、前記建築用横材４の下方に配設すると共に、その板面方向が上下方向となる縦設状態となるようにして建築用横材４に固定する。これにより、この補強板１の強度は特に建築用横材４を上下方向に変形させようとする荷重に対して強い耐変形強度を発揮する。即ち、板は、その板厚方向への変形荷重に対しては弱いが、板幅方向への変形荷重に対しては強い耐変形強度を発揮する性質を有している。この板の性質を利用し、建築用横材４が上下方向に変形しようとすることに抗して、補強板１が最も高い耐変形強度を発揮する状態（板面方向）となるようにして建築用横材４に固定することにより、建築用縦材３間（取付箇所２）間に架設状態にして固定される建築用横材４には、常にこの建築用横材４を下方へ撓ませようとする荷重が加わるが、この荷重が補強板１の補強作用によって良好に支えられて建築用横材４の変形が防止されることになる構成としている。
【００６８】
また、本実施例では、細帯状の補強板１を図示しているが、この補強板１の幅（長さ方向と直交する幅）が広い太帯状のものとすることにより、補強強度を向上させることができる構成である。
【００６９】
図１は、本実施例の建築用補強具Ａを固定した建築用横材４（横設単管４Ａ）を用いてガレージ付の二階建て物置小屋（建築構造物Ｂ）を構築した場合を示している。
【００７０】
一階部分はガレージスペース、二階部分は物置スペースである。図面では、一階の天井部分の建築用横材４と、二階天井部分の建築用横材４と、一階と二階の間に設けられた階段13の支持材としての建築用横材４に本補強具Ａを固定して補強している。
【００７１】
一階のガレージ部分は、一階天井部分に複数の長い建築用横材４を使用し、この長い建築用横材４に本補強具Ａを固定することで自動車Ｃ二台分以上の開口幅の出入り口21（間口）を形成している（図４参照。）。出入り口21上方の長い建築用横材４（横設単管４Ａ）は、本補強具Ａで補強することにより、その途中に補強用の支柱などを設置せずとも下方へ撓み変形するようなことがなく、よって、この長い横設単管４Ａの下方に支柱のない広い出入り口21が確保される。また、この場合、本補強具Ａを固定した横設単管４Ａは、骨組構造体12に間隔を置いて配置する縦設パイプ（単管）３Ａを取付箇所２としてこの取付箇所２間に水平状態で架設固定している。
【００７２】
また、この一階天井部分の複数の横設単管４Ａ間に垂木クランプ16などを介して床材17固定用の桟木15を架設固定し、この桟木15上に床材17を張設固定して物置フロアを形成している（図５参照。）。この物置フロアは、各横設単管４Ａが本補強具Ａにより補強されて高強度を発揮するために、床の強度が高く、耐荷重性に秀れる。また、この場合、本補強具Ａを固定した横設単管４Ａは、骨組構造体12の同じ高さに間隔を置いて水平に設置される各横材を取付箇所２としてこの取付箇所２間に水平状態で架設固定している。
【００７３】
また、二階天井部分の複数の横設単管４Ａ間に図示省略の垂木を架設固定し、この垂木上に屋根材18を葺いてある（図６参照。）。このようにして構成した屋根は、各横設単管４Ａが本補強具Ａにより補強されて高強度を発揮するために、耐荷重性が高く、多量の積雪22にも耐えることができる。従って、屋根強度が高く、豪雪地域での使用に耐える建築構造物Ｂとなる。また、この場合、本補強具Ａを固定した横設単管４Ａは、骨組構造体12の異なる高さに間隔を置いて水平に設置される各横材を取付箇所２としてこの取付箇所２間に傾斜状態で架設固定し、この傾斜する各横設単管４Ａ上に勾配屋根を形成している。
【００７４】
また、階段13は、一対の横設単管４Ａ間に、仮設足場の構築に用いられる足場用階段部品14を多数架設固定することで構築している（図７参照。）。このように構成した階段13は、この階段13の支持材としての建築用横材４が本補強具Ａによって補強されているために、強度が高く耐荷重性に秀れた階段13ができあがる。また、この場合、本補強具Ａを固定した横設単管４Ａは、骨組構造体12の一階天井部分に水平に設置される横材と、地面とを取付箇所２としてこの取付箇所２間に傾斜状態で架設固定し、この傾斜する各横設単管４Ａに傾斜状の階段13を形成している。
【００７５】
尚、請求項１中の「建築用横材４」なる記載は、水平状態に設置される横材だけを意味するのではなく、例えば、勾配屋根や階段13を形成するために傾斜状態に設置される横材をも含む意味合いで用いている。
【実施例２】
【００７６】
本発明の具体的な実施例２について図８に基づいて説明する。
【００７７】
本実施例は、前記実施例１において、補強板１を、その長さ方向に他の帯板状の補強板１を並設して並設連結手段10により連結し得るように構成した場合である。即ち、この並設連結手段10により補強板１を並設連結することにより、補強板１の長さを取付箇所２間の長さに応じて延長することができる構成としている。
【００７８】
具体的には、並設連結手段10は、並設した前記各補強板１間に架設状態にして重合する連結板11を備え、この連結板11を各補強板１に重合した際に連通する連結孔８をこの連結板11と各補強板１とに設け、この連通する連結孔８に止着具９を挿通止着することで、並設する各補強板１と連結板11とを連結して並設する各補強板１をこの連結板11を介して連結する構成としている。
【００７９】
更に詳しくは、連結板11は補強板１と同等の板幅を有する短い金属製の帯板材を採用して構成し、この連結板11には、長さ方向に小間隔を置いて前記連結孔８を複数個所（図面では四箇所）に貫通形成している。
【００８０】
一方、各補強板１には、その突合せ端部に夫々長さ方向に小間隔を置いて（連結板11の連結孔８の並設間隔と等間隔を置いて）前記連結孔８を複数箇所（図面では、一つの補強板１につき二箇所）に貫通形成している。
【００８１】
そして、各補強板１の端部同士を突き合わせた上で、この突合せ端部に連結板11を重合して各々の連結孔８を連通させ、この連通させた各連結孔８・８にボルト９Ａ・ナット９Ｂを採用した止着具９のボルト９Ａを挿通してナット９Ｂ止めすることで、連結板11と各補強板１とを連結し、これにより連結板11を介して各補強板１が並設状態で連結して補強板１の長さを延長することができる構成としている。
【００８２】
他の構成は、前記実施例１と同様である。
【００８３】
尚、本実施例では、二枚の補強板１を連結した場合を示したが、並設連結手段10により三枚以上の補強板１をその長さ方向に連結して補強板１の長さを延長することが可能である。また、止着具９，連結板11を取り外すことで連結した各補強板１を分離することも可能である。
【実施例３】
【００８４】
本発明の具体的な実施例３について図９，図１０に基づいて説明する。
【００８５】
本実施例は、前記実施例１において、補強板１を、その長さ方向と直交する方向に他の帯板状の補強板１を並設して並設連結手段10により連結し得るように構成した場合である。即ち、この並設連結手段10により補強板１を並設連結して実質的に補強板１の幅を拡大することにより、補強作用が向上する構成としている。
【００８６】
具体的には、並設連結手段10は、並設した前記各補強板１間に架設状態にして重合する連結板11を備え、この連結板11を各補強板１に重合した際に連通する連結孔８をこの連結板11と各補強板１とに設け、この連通する連結孔８に止着具９を挿通止着することで、並設する各補強板１と連結板11とを連結して並設する各補強板１をこの連結板11を介して連結する構成としている。
【００８７】
更に詳しくは、本実施例では、クランプ付連結体７の帯板７Ａの長さを、実施例１よりも長く形成し、この帯板７Ａには、その長さ方向に小間隔を置いて複数個所（図面では三箇所）に連結孔８を貫通形成している。
【００８８】
本実施例では、このクランプ付連結体７の帯板７Ａを前記連結板11としている。即ち、クランプ部５を補強板１に連結するための帯板７Ａが、補強板１を並べて連結するための連結板11としての機能を兼ねる（クランプ連結手段６が並設連結手段10を兼ねる）構成としている。
【００８９】
一方、各補強板１には、夫々長さ方向に小間隔を置いて前記連結孔８を複数箇所に貫通形成している。
【００９０】
そして、各補強板１を、その長さ方向と直交する方向に並べて突き合わせた上で、この連結板11としての帯板７Ａを重合して各々の連結孔８を連通させ、この連通させた各連結孔８・８にボルト９Ａ・ナット９Ｂを採用した止着具９のボルト９Ａを挿通してナット９Ｂ止めすることで、連結板11（帯板７Ａ）と各補強板１とを連結し、これにより連結板11を介して各補強板１が幅方向に並設状態で連結するように構成している。同時にクランプ部５（クランプ付連結体７）が各補強板１に連結する構成である。
【００９１】
また、この際、帯板７Ａに形成した複数の連結孔８を選択することで、補強板１の一側縁に対するクランプ部５の突出度合いを調整変更することができるし、補強板１に形成した複数の連結孔８を選択することで、補強板１に対するクランプ部５の突設位置を変更することができる構成としている。
【００９２】
また、図１０は、本実施例の建築用横材補強具Ａを固定して補強した長い横設単管４Ａを用いて、前記実施例１で示したガレージよりも出入り口21の開口幅（間口）を拡大形成し、この拡大させたスペースに階段13を形成した場合を示している。また、この図では、前記実施例２の連結板11を用いた並設連結手段10を併用して補強板１をその長さ方向に連結して長く延長させた場合を示している。
【００９３】
この図１０からもわかるように、本実施例の並設連結手段10と前記実施例３の並設連結手段10とは実質的に同じ構成であり、連結板11の方向を補強板１の並設方向に応じて変更することで、補強板１をその長さ方向に連結するか、幅方向に連結するかを選択できる構成である。
【００９４】
他の構成は、前記実施例１と同様である。
【００９５】
尚、本実施例では、二枚の補強板１を連結した場合を示したが、並設連結手段10の連結板11の長さを延長することにより、三枚以上の補強板１をその幅方向に連結して補強板１の幅を広くして補強強度を向上させることが可能である。また、止着具９，連結板11を取り外すことで連結した各補強板１を分離することも可能である。この点は、後述の実施例４，５についても同様である。
【実施例４】
【００９６】
本発明の具体的な実施例４について図１１に基づいて説明する。
【００９７】
本実施例は、前記実施例３と同様の並設連結手段10により補強板１を幅方向に並設して連結し得るように構成した場合であるが、更に、補強板１の長さ方向の一側縁からだけでなく、他側縁からも、この補強板１の長さ方向に間隔を置いて前記クランプ部５を複数突設して、上下に並設状態に設けられた建築用横材４（横設単管４Ａ）の双方に対して本補強具Ａを固定し得るように構成した場合である。
【００９８】
具体的には、各補強板１に形成する連結孔８の数を増やし、クランプ付連結体７を上下逆向きにして各補強板１に連結固定した場合を示している。
【００９９】
このような構成とすることにより、上下に並設する二本の横設単管４Ａの双方に対して補強作用を付与することができるので、一層強度の高い建築構造物Ｂ（骨組構造体12）を構築できることになる。
【０１００】
他の構成は、前記実施例３と同様である。
【実施例５】
【０１０１】
本発明の具体的な実施例５について図１２に基づいて説明する。
【０１０２】
本実施例は、前記実施例３において、連結板11の構成を異ならせた場合である。
【０１０３】
具体的には、本実施例の連結板11は、二枚の補強板１をその長さ方向と直交する幅方向に並べた際の幅寸法と同等の長さ寸法を有する短い金属製の帯板材を採用して構成し、この連結板11には、長さ方向に小間隔を置いて前記連結孔８を複数個所（図面では二箇所）に貫通形成している。
【０１０４】
そして、各補強板１を、その長さ方向と直交する方向に並べて突き合わせた上で、この連結板11を各補強板１に掛け渡すように重合して各々の連結孔８を連通させ、この連通させた各連結孔８・８にボルト９Ａ・ナット９Ｂを採用した止着具９のボルト９Ａを挿通してナット９Ｂ止めすることで、連結板11と各補強板１とを連結し、これにより連結板11を介して各補強板１が幅方向に並設状態で連結するように構成している。
【０１０５】
即ち、クランプ付連結体７の帯板７Ａが連結板11を兼用する構成でなく、別個に連結板11を用いて並設連結手段10を構成した場合である。
【０１０６】
他の構成は、前記実施例３と同様である。
【実施例６】
【０１０７】
本発明の具体的な実施例６について図１３，図１４に基づいて説明する。
【０１０８】
本実施例は、前記実施例１において、クランプ付連結体７を用いず、補強板１の長さ方向の一側縁に直接単管クランプ５Ａを溶接することで、補強板１の長さ方向の一側縁に、この補強板１の長さ方向に間隔を置いてクランプ部５を複数突設した構成とした場合である。
【０１０９】
他の構成は前記実施例１と同様である。
【０１１０】
尚、本発明は、実施例１〜６に限られるものではなく、各構成要件の具体的構成は適宜設計し得るものである。
【０１１１】
例えば、本補強具Ａを固定する建築用横材４は、本実施例で示したパイプ４Ａ（単管４Ａ）に限定されるものではなく、どのような横材に対しても適用可能であるが、もともと補強なしでも高強度を誇るＨ鋼などに適用するよりは、パイプ材やアングル材やチャンネル材などの建築用横材４として用いた際に強度不足の懸念があるものに適用することが好ましく、このような横材を採用することにより有用性が向上する。また、本実施例では、パイプ４Ａとして特に丸形の単管４Ａを採用した場合を示したが、市販の角形パイプ材や他のパイプ材に固定できるような構成としても良い。
【０１１２】
また、本実施例では、単管による建築構造物Ｂとしてガレージ付の物置小屋を構築した場合を示したが、他の屋根付の建築構造物Ｂを構築しても良いし、例えば、工事現場での歩行者用通路や、歩道の屋根などのような家屋形でない建築構造物Ｂを構築することも可能である。
【図面の簡単な説明】
【０１１３】
【図１】実施例１を固定した建築用横材を用いて構築した建築構造物を示す説明斜視図である。
【図２】実施例１を建築用横材に固定した使用状態を示す斜視図である。
【図３】実施例１を示す一部を分解した斜視図である。
【図４】実施例１を固定した建築用横材を用いて構築したガレージ部分を示す説明正面図である。
【図５】実施例１を固定した建築用横材を用いて構築した二階床部分を示す説明斜視図である。
【図６】実施例１を固定した建築用横材を用いて構築した屋根部分を示す説明斜視図である。
【図７】実施例１を固定した建築用横材を用いて構築した階段部分を示す説明斜視図である。
【図８】実施例２を示す分解斜視図である。
【図９】実施例３を示す一部を分解した斜視図である。
【図１０】実施例３を固定した建築用横材を用いて構築したガレージ部分を示す説明正面図である。
【図１１】実施例４を示す斜視図である。
【図１２】実施例５を示す斜視図である。
【図１３】実施例６を建築用横材に固定した使用状態を示す斜視図である。
【図１４】実施例６を示す斜視図である。
【図１５】家屋に並設状態に構築された単管建築構造物を示す説明斜視図である。
【図１６】単管骨組構造体の横設単管が強度不足により下方へ撓み変形した様子を示す説明正面図である。
【符号の説明】
【０１１４】
１  補強板
２  取付箇所
３  建築用縦材
４  建築用横材
４Ａ  パイプ
５  クランプ部
５Ａ  パイプクランプ
６  クランプ連結手段
７  クランプ付連結体
８  連結孔
９  止着具
10  並設連結手段
11  連結板
12  骨組構造体
Ａ  建築用横材補強具
Ｂ  建築構造物